(57)【要約】      （修正有）【課題】レンズの伸縮を制御して焦点距離を調節する調節型ランプを提供する。【解決手段】本体、発光装置、レンズ、ベース及び調節シェードを含み、前記本体の一端に第１の収容部を有し、前記発光装置は発光素子を有し、前記発光装置が前記第１の収容部内に固定され、前記レンズが前記第１の収容部内に可動可能に収容され、前記レンズの外縁は雄ねじを有し、前記ベースが前記本体の他の端に固着され、前記発光素子は前記ベースに電気的に接続され、前記調節シェードは開口部を有し、前記開口部内に雌ねじを有し、前記調節シェードは、前記本体の該端の外側に回動可能にカバーし、前記調節シェードの雌ねじと前記レンズの雄ねじとは、互いに螺合し、前記調節シェードの回転に伴い前記レンズが前記第１の収容部内を伸縮する。【選択図】図２
0003143410.tif 000002
【実用新案登録請求の範囲】
【請求項１】
一端に第１の収容部を有する本体と、
発光素子を有し、前記第１の収容部内に固定される発光装置と、
前記第１の収容部内に可動可能に収容され、前記レンズの外縁は雄ねじを有するレンズと、
前記本体の他の端に固着され、前記発光素子と電気的に接続されるベースと、
開口部を有し、前記開口部内に雌ねじを有し、前記本体の該端の外側に回動可能にカバーし、その雌ねじと前記レンズの雄ねじとは、互いに螺合し、回転することによって前記レンズを前記第１の収容部内に伸縮させる調節シェードとを含むことを特徴とする、
調節型ランプ。
【請求項２】
前記発光装置は、さらに集光シェードを有し、前記集光シェードが前記第１の収容部内に固定され、前記発光素子が前記集光シェード内に固定されることを特徴とする、請求項１に記載の調節型ランプ。
【請求項３】
前記レンズは凹部を有し、前記集光シェードが、前記凹部内に位置され、前記凹部の内壁に少なくとも一つのスライド溝が設けられ、前記集光シェードは対応の少なくとも一つの凸部を有し、前記レンズの少なくとも一つのスライド溝が、前記集光シェードの少なくとも一つの凸部の外に摺動することを特徴とする、請求項２に記載の調節型ランプ。
【請求項４】
前記ランプは、さらに、外部シェードを有し、前記外部シェードは前記本体の外側をカバーし、かつ、前記調節シェードと前記ベースの間にカバーされ、前記外部シェードと前記ベースの間の隣接の辺縁部が互いに重なり合っていることを特徴とする、請求項１に記載の調節型ランプ。
【請求項５】
前記調節シェードと前記外部シェードは、いずれも、複数の放熱溝を設けていることを特徴とする、請求項４に記載の調節型ランプ。
【請求項６】
前記本体は、係止溝をリング状に設け、前記調節シェードの開口部の他の端及び前記開口部の他の端に隣接する前記外部シェードの一端に係止部がそれぞれ形成され、前記二つの係止部が前記係止溝内にそれぞれ係止されることを特徴とする、請求項４に記載の調節型ランプ。
【請求項７】
前記調節シェードの開口部の他の端及び前記開口部の他の端に隣接する前記外部シェードの一端に、さらに、位置決め部及び位置決め溝がそれぞれ形成され、前記位置決め部が前記位置決め溝内に差し込んで位置決めされることを特徴とする、請求項６に記載の調節型ランプ。
【請求項８】
前記発光素子は、電球であることを特徴とする、請求項１に記載の調節型ランプ。
【請求項９】
前記発光素子は、発光ダイオードであることを特徴とする、請求項１に記載の調節型ランプ。
【請求項１０】
前記ランプは、さらに、電源変換装置を含み、前記本体の他の端は、第２の収容部を有し、前記電源変換装置が前記第２の収容部内に収容され、かつ、前記電源変換装置が前記発光素子と前記ベースとの間に電気的に接続されることを特徴とする、請求項９に記載の調節型ランプ。
【請求項１１】
前記本体は、複数の放熱フィンを含み、前記各放熱フィンの一端と他の端は、第１の切欠き及び第２の切欠きをそれぞれ有し、これらの放熱フィン同士は、それぞれ取り囲んでおり、これらの第１の切欠きは、前記本体の第１の収容部を形成し、これらの第２の切欠きは、前記本体の第２の収容部を形成することを特徴とする、請求項１に記載の調節型ランプ。
【考案の詳細な説明】
【技術分野】
【０００１】
本考案は、調節型ランプに係わり、特に、本体、発光装置、レンズ、ベース及び調節シェードの組合せにより、焦点距離の調節、組立便利及び固着安定の効果を有し、様々なランプまたは類似構造のランプに適応できる調節型ランプに関するものである。
【背景技術】
【０００２】
一般に照明は汎用照明と集束照明とに大別される。
前者の照明は広い領域での拡大照明であり、後者の照明は小さい領域の集束照明を指すものである。
【０００３】
例えば、道路上の街路灯、公園用フロアランプまたは天井用ペンダント灯などは、いずれも広い領域を照明する拡大照明であり、その目的は、最も少ないランプで全ての面積を照明することにある。
【０００４】
集束照明は、汎用照明とは異なり、その目的は、光線をある場所またはある品物に集束することによって、特定の場所または特定の品物を目立つようにすることである。
例えば、第一に、展示用の展示ランプとして、時々、集束した光線を展示用商品に照射することによって、該商品を目立たせている。第二に、室内の内装を美化するためである。現在の室内の内装は、ハード型の装飾を加えて、光線により室内で表現された視的感覚をも含まれる。よく見られるのは、光線を集束してから壁や、装飾品またはテーブルに照射することによって、光線を室内装飾とを合わせることで最適な視覚効果及び照明効果を発生させる。
【０００５】
しかしながら、従来の照明ランプは、その一部が集束機能を有せず、並びに大部分が焦点距離の調節機能を備えていない。
そのため、前者の集束機能を持たない照明ランプは、不便なだけでなく実用するうえで多くの欠点がある。
後者の焦点距離の調節機能を備えていない照明ランプは、光源と被照射物との間の距離が一定ではないため、被照射物上の光線の焦点がずれた状態になってしまうといった欠点がある。
【０００６】
本考案は以上の点に鑑みて成されたもので、前記した問題点を改善するものである。
【考案の開示】
【考案が解決しようとする課題】
【０００７】
本考案の主な目的は、ランプの本体の先端に第１の収容部を形成し、第１の収容部内に発光装置及びレンズを収容し、本体の先端に調節シェードをカバーし、かつ該調節シェードの内縁とレンズの外縁との間を螺合構造として、調節シェードを回転するとともにレンズを前出または後退するように制御して焦点距離を調節する効果を達成でき、並びに、組立便利及び固着安定の効果を有し、本考案の実用性が向上される調節型ランプを提供することにある。
【０００８】
本考案の次の目的は、これらのベースは、汎用ランプのベースであり、汎用ランプのベースに直接的に適用できる便利な効果を有し、本考案の便利性が向上される調節型ランプを提供することにある。
【０００９】
本考案の他の目的は、ランプの本体が、複数の放熱フィンで取り囲んで形成され、かつ、該本体の外をカバーする調節シェード及び外部シェードが、いずれも、複数の放熱溝を設けることによって、好ましい放熱効果を有し、本考案の放熱能力が向上される調節型ランプを提供することにある。
【課題を解決するための手段】
【００１０】
前記目的を達成すため、本考案の調節型ランプは、本体、発光装置、レンズ、ベース及び調節シェードを含む。前記本体の一端に第１の収容部を有し、前記発光装置は発光素子を有し、前記発光装置が前記第１の収容部内に固定され、前記レンズが前記第１の収容部内に可動可能に収容され、前記レンズの外縁は雄ねじを有し、前記ベースが前記本体の他の端に固着され、前記発光素子は前記ベースに電気的に接続され、前記調節シェードは開口部を有し、前記開口部内に雌ねじを有し、前記調節シェードは、前記本体の該端の外側に回動可能にカバーし、前記調節シェードの雌ねじと前記レンズの雄ねじとは、互いに螺合し、前記調節シェードの回転に伴い前記レンズが前記第１の収容部内に伸縮する。
【考案の効果】
【００１１】
本考案は、光線の集束が可能なだけでなく、焦点距離の調節も可能である。
また組立に便利で、優れた固着の安定性を有する。
さらに汎用ランプのベースに直接適用できるといった効果も有するので、実用性及び便利性を改善することができる。
【考案を実施するための最良の形態】
【００１２】
以下に図面を参照しながら本考案の実施の形態について説明する。
図１〜図４を参照すると、本考案に係る調節型ランプは、本体１、発光装置４、レンズ３、ベース２及び調節シェード６を含む。
【００１３】
本体１の一端に第１の収容部１１を有する。
発光装置４は発光素子４２を有し、該発光装置４が該第１の収容部１１内に固定される。
レンズ３が第１の収容部１１内に可動可能に収容される。該レンズ３の外縁は雄ねじ３１を有する。
ベース２が本体１の他の端に固着される。
発光素子４２はベース２に電気的に接続される。
調節シェード６は開口部６１を有し、該開口部６１内には雌ねじ６１１を有する。
調節シェード６は、本体１の該端の外側に回動可能にカバーする。
調節シェード６の雌ねじ６１１と該レンズ３の雄ねじ３１とは、互いに螺合していて、調節シェード６の回転に伴いレンズ３が第１の収容部１１内に伸縮することによって、焦点距離を調節できる。
【００１４】
発光装置４は、さらに集光シェード４１を有する。
集光シェード４１が第１の収容部１１内に固定される。
発光素子４２が該集光シェード４１内に固定される（本実施例では、集光シェード４１の中心部に固定）。
レンズ３は凹部３２を有する。
集光シェード４１が、凹部３２内に位置される。
凹部３２の内壁３２１には少なくとも一つのスライド溝３２２が設けられる。
集光シェード４１は対応の少なくとも一つの凸部４１１を有し、該レンズ３の少なくとも一つのスライド溝３２２が、該集光シェード４１の少なくとも一つの凸部４１１の外に摺動し案内作用を発生する。
本考案に係る調節型ランプは、さらに、外部シェード７を有する。
外部シェード７は本体１の外側をカバーし、かつ、該調節シェード６と該ベース２の間にカバーされるとともに、該外部シェード７と該ベース２の間の隣接の辺縁部を互いに重なり合わせる。
図示した本実施例のように、外部シェード７のエッジがベース２のエッジの外側に重なり合い、かつ、本体１の調節シェード６とレンズ３とベース２の三者以外の部分にカバーされる。
調節シェード６と外部シェード７は、いずれも、複数の放熱溝６４、７３（図１に示すように）を設けている。
本体１は、リング状の係止溝１３を設ける。
調節シェード６の開口部６１の他の端及び開口部６１の他の端に隣接する外部シェード７の一端には係止部６２、７１がそれぞれ形成される。
二つの係止部６２、７１が係止溝１３内にそれぞれ係止される。
また、調節シェード６の開口部６１の他の端及び該開口部６１の他の端に隣接する外部シェード７の一端には位置決め部６３及び位置決め溝７２がそれぞれ形成される。
位置決め部６３が位置決め溝７２内に差し込んで位置決めされる。
発光素子４２は、汎用ランプ、或いは本実施例に示されるような発光ダイオード（ＬＥＤ）である。
本考案のランプは、さらに、電源変換装置８を含む。
本体１の他の端は、第２の収容部１２を有する。
電源変換装置８が第２の収容部１２内に収容され、かつ、該電源変換装置８が接続線８１を介して発光素子４２とベース２との間に電気的に接続される。
電源変換装置８は、外部電源を発光ダイオードが使用可能な電源に変換させる。
本体１は、複数の放熱フィン１０を含む。
各放熱フィン１０の一端と他の端は、第１の切欠き１０１及び第２の切欠き１０２をそれぞれ有する。
これらの放熱フィン１０同士は、それぞれ取り囲んでいる。
これらの第１の切欠き１０１は、本体１の第１の収容部１１を形成する。
これらの第２の切欠き１０２は、本体１の第２の収容部１２を形成する。
また、該ベース２は、汎用ランプのべーすである。
【００１５】
本考案の調節型ランプの特徴は、本考案のランプの本体１の先端に第１の収容部を形成し、第１の収容部内に発光装置４及びレンズ３を収容し、該本体１の先端に調節シェード６をカバーし、かつ該調節シェード６の内縁と該レンズ３の外縁との間を螺合させて、調節シェード６を回転するとともにレンズ３を前出または後退するように制御して焦点距離を調節できることと、組立便利及び固着安定の効果を有する。
また、これらのベース２は、汎用ランプのベースであり、汎用ランプのベース（図示せず）に直接的に適用できる便利な効果を有する。
さらに、本考案のランプの本体１が、複数の放熱フィン１０で取り囲んで形成され、かつ、該本体１の外をカバーする調節シェード６及び外部シェード７が、いずれも、複数の放熱溝６４、７３を設けることによって、好ましい放熱効果を有する。
また、調節シェード６が複数の放熱溝６４を設けていることにより、調節シェード６を手で回転できる効果を有する。
さらに、レンズ３の内壁３２１は、スライド溝３２２を有し、かつ、集光シェード４１は対応する凸部４１１を有し、該レンズ３のスライド溝３２２が、該集光シェード４１の凸部４１１の外に摺動することによって、レンズ３の前出または後退が、いずれもこれらの摺動案内作用を有する。
ひいてはレンズ３の前出または後退動作をより安定させる。
以上のように、本考案は、光線集束可能、焦点距離調整可能、組立便利、固着安定、汎用ランプのベースに直接的に適用可能、並びに好ましい放熱効果を有し、実用性、便利性及び好ましい放熱性を備えている。
【００１６】
前記した記載は、単に本考案の好ましい実施の形態の説明に過ぎず、本考案の特徴を限定するものではない。
当業者が適宜行なう変換や修飾なども本考案に含まれるべきことは言うまでもないことである。
【図面の簡単な説明】
【００１７】
【図１】本考案に係る実施例の斜視外観図である。
【図２】本考案に係る実施例の断面図である。
【図３】本考案に係る実施例の図２のＡ部による一部拡大図である。
【図４】本考案に係る実施例の調整後の断面図である。
【符号の説明】
【００１８】
１      本体
２      ベース
３      レンズ
４      発光装置
６      調節シェード
７      外部シェード
８      電源変換装置
１０    放熱フィン
１１    第１の収容部
１２    第２の収容部
１３    係止溝
３１    雄ねじ
３２    凹部
４１    集光シェード
４２    発光素子
６１    開口部
６２、７１  係止部
６３    位置決め部
６４、７３  放熱溝
７２    位置決め溝
８１    接続線
１０１  第１の切欠き
１０２  第２の切欠き
３２１  内壁
３２２  スライド溝
４１１  凸部
６１１  雌ねじ
【図１】
0003143410.tif 000003
【図２】
0003143410.tif 000004
【図３】
0003143410.tif 000005
【図４】
0003143410.tif 000006